(57)【要約】【課題】良好な除菌力を発現する浴室洗浄装置を提供する。【解決手段】浴室洗浄装置は、次亜塩素酸を含む電解水を浴室に供給する。浴室洗浄装置は、電解水生成装置と、ノズルと、電解水供給管と、圧力センサと、制御部を備えている。電解水生成装置は、被電解水に電流を印加して次亜塩素酸を含む電解水を生成する。ノズルは、電解水生成装置で生成した電解水を浴室内に噴霧する。電解水供給管は、電解水生成装置とノズルを接続しており、電解水生成装置で生成された電解水をノズルに供給する。圧力センサは、電解水供給管内を移動する電解水の圧力を検出する。制御部は、圧力センサの検出値に基づいて被電解水に印加する電流値を制御する。【選択図】図５
2019076502.tif 000002
【特許請求の範囲】
【請求項１】
次亜塩素酸を含む電解水を浴室に供給する浴室洗浄装置であって、
被電解水に電流を印加して次亜塩素酸を含む電解水を生成する電解水生成装置と、
電解水生成装置で生成した電解水を浴室内に噴霧するノズルと、
電解水生成装置と前記ノズルを接続しており、電解水生成装置で生成された電解水を前記ノズルに供給する電解水供給管と、
電解水供給管内を移動する電解水の圧力を検出する圧力センサと、
圧力センサの検出値に基づいて被電解水に印加する電流値を制御する制御部と、
を備える浴室洗浄装置。
【請求項２】
制御部は、
圧力センサの検出値が所定時間内に所定範囲を超えて変動した回数をカウントし、
カウント数が設定された上限回数を超えたときに被電解水に印加する電流値を下げ、
カウント数が設定された下限回数未満となったときに被電解水に印加する電流値を上げる請求項１に記載の浴室洗浄装置。
【請求項３】
さらに、電解水の温度を調節する温度調節手段を備えており、
制御部は、圧力センサの検出値に基づいて電解水の温度も制御する請求項２に記載の浴室洗浄装置。
【請求項４】
次亜塩素酸を含む電解水を浴室に供給する浴室洗浄装置であって、
被電解水に電流を印加して次亜塩素酸を含む電解水を生成する電解水生成装置と、
電解水生成装置で生成した電解水を浴室内に噴霧するノズルと、
電解水生成装置と前記ノズルを接続しており、電解水生成装置で生成された電解水を前記ノズルに供給する電解水供給管と、
電解水供給管内を移動する電解水の圧力を検出する圧力センサと、
電解水の温度を調節する温度調節手段と、
圧力センサの検出値に基づいて電解水の温度を制御する制御部と、
を備える浴室洗浄装置。
【請求項５】
制御部は、
圧力センサの検出値が所定時間内に所定範囲を超えて変動した回数をカウントし、
カウント数が設定された上限回数を超えたときに電解水の温度を下げ、
カウント数が設定された下限回数未満となったときに電解水の温度を上げる請求項３又は４に記載の浴室洗浄装置。
【請求項６】
温度調節手段は、電解水生成装置に供給される被電解水の温度を調整する請求項３から５のいずれか一項に記載の浴室洗浄装置。
【発明の詳細な説明】
【技術分野】
【０００１】
本明細書に開示する技術は、浴室洗浄装置に関する。
【背景技術】
【０００２】
次亜塩素酸を含む電解水を用いて浴室内を除菌・殺菌する浴室洗浄装置が知られている。特許文献１は、次亜塩素酸を生成することができる電解水生成装置を備えた浴室洗浄装置を開示している。特許文献１の浴室洗浄装置は、被電解水に電流を印加して次亜塩素酸を含む電解水を生成し、生成した電解水をノズルを用いて浴室内に噴霧している。
【先行技術文献】
【特許文献】
【０００３】
【特許文献１】特開２０１４−２８２３５号公報
【発明の概要】
【発明が解決しようとする課題】
【０００４】
電解水の除菌・殺菌力（以下、単に除菌力と称する）は、非解離型の有機残留塩素、すなわち、次亜塩素酸（ＨＣｌＯ）の量によって大きく変化する。一般的に、電解水のｐＨが高くなる（ｐＨ８以上）と、電解水中に次亜塩素酸イオンとして存在する比率が高くなり、良好な除菌力が得られない。良好な除菌力を得るためには、生成した電解水のｐＨを検出し、所定のｐＨを維持するように生成条件を調整することが必要である。典型的に、溶液のｐＨの検出は、ｐＨメータを用いて行われる。しかしながら、ｐＨメータは、測定精度を維持するために、メンテナンスが必要である。そのため、良好な除菌力を維持するためには、ｐＨメータの定期的なメンテナンスが避けられない。ｐＨメータは、主として浴室の壁（天井）に配置される浴室洗浄装置で用いることに適していない。ｐＨメータを用いることなく、良好な除菌力を発現する浴室洗浄装置が要求されている。本明細書は、良好な除菌力を発現する浴室洗浄装置を提供することを目的とする。
【課題を解決するための手段】
【０００５】
本明細書で開示する浴室洗浄装置は、次亜塩素酸を含む電解水を浴室に供給する。その浴室洗浄装置は、電解水生成装置と、ノズルと、電解水供給管と、圧力センサと、制御部を備えていてよい。電解水生成装置は、被電解水に電流を印加して次亜塩素酸を含む電解水を生成してよい。ノズルは、電解水生成装置で生成した電解水を浴室内に噴霧してよい。電解水供給管は、電解水生成装置とノズルを接続しており、電解水生成装置で生成された電解水をノズルに供給してよい。圧力センサは、電解水供給管内を移動する電解水の圧力を検出してよい。制御部は、圧力センサの検出値に基づいて被電解水に印加する電流値を制御してよい。
【０００６】
次亜塩素酸を生成する過程では、水（Ｈ２Ｏ）の電気分解により、水素（Ｈ２）が発生する。水素の発生量は、電解水中の次亜塩素酸の量と関連する。すなわち、水素の発生量が多くなると、電解水中の水素イオンの量が減少するため、電解水のｐＨが高くなり、電解水中の次亜塩素酸イオンの量が増大する。その結果、電解水中の次亜塩素酸の量が減少し、電解水の除菌力が低下する。また、水素の発生量が少な過ぎることは、被電解水の電解が進んでいないことを示しており、電解水中の次亜塩素酸の量が少ないことを示している。電解水中の水素の量を制御することにより、電解水中の次亜塩素酸の量を制御することができる。上記浴室洗浄装置は、水素の発生に伴う電解水の圧力（供給管内の圧力）を検出し、その検出値に基づいて被電解水に印加する電流値を制御し、電解水のｐＨ（次亜塩素酸の生成量）を調整する。上記浴室洗浄機は、ｐＨメータを用いることなく、良好な除菌力を発現する電解水を生成することができる。
【０００７】
制御部は、圧力センサの検出値が所定時間内に所定範囲を超えて変動した回数をカウントしてよい。また、制御部は、カウント数が設定された上限回数を超えたときに被電解水に印加する電流値を下げ、カウント数が設定された下限回数未満となったときに被電解水に印加する電流値を上げてよい。
【０００８】
供給管内を電解水が移動するときに、電解水中に水素が含まれていると、圧力センサの検出値が変動する。すなわち、所定時間内の圧力変動の回数が多い程、電解水中に水素が多量に含まれており、電解水のｐＨが高いことを示している。また、所定時間内の圧力変動の回数が少な過ぎると、十分に次亜塩素酸が生成されておらず、良好な除菌力を有する電解水が得られない。圧力変動のカウント数に基づいて電流値を調整することにより、電解水のｐＨを所望値に維持することができ、良好な除菌力を有する電解水を得ることができる。なお、「所定範囲」を超えて変動した圧力検出値をカウントすることにより、圧力センサの機器的な検出値のばらつきの影響を抑制することができる。
【０００９】
上記浴室洗浄装置は、さらに、電解水の温度を調節する温度調節手段を備えていてよい。また、制御部は、圧力センサの検出値に基づいて電解水の温度も制御してよい。なお、「温度調節手段」は、次亜塩素酸を生成する前の「被電解水」の温度を調整してもよいし、次亜塩素酸が生成された後の「電解水」の温度を調整してもよい。
【００１０】
電解水のｐＨ（水素の発生量）は、電解水の温度にも関連する。すなわち、電解水の温度が上昇すると、水素の発生量が増加し、電解水のｐＨが高くなり、電解水の除菌力に影響を及ぼす。そのため、電解水の温度を調整することによっても、電解水のｐＨ（除菌力）を調整することができる。圧力センサの検出値に基づいて電解水の温度を制御することにより、電解水のｐＨ制御をさらに行い易くすることができる。
【００１１】
本明細書で開示する他の浴室洗浄装置は、次亜塩素酸を含む電解水を浴室に供給する。その浴室洗浄装置は、電解水生成装置と、ノズルと、電解水供給管と、圧力センサと、温度調節手段と、制御部を備えていてよい。電解水生成装置は、被電解水に電流を印加して次亜塩素酸を含む電解水を生成してよい。ノズルは、電解水生成装置で生成した電解水を浴室内に噴霧してよい。電解水供給管は、電解水生成装置とノズルを接続しており、電解水生成装置で生成された電解水をノズルに供給してよい。圧力センサは、電解水供給管内を移動する電解水の圧力を検出してよい。温度調節手段は、電解水の温度を調節してよい。制御部は、圧力センサの検出値に基づいて電解水の温度を制御してよい。
【００１２】
圧力センサの検出値に基づいて電解水の温度を制御することにより、電解水のｐＨ制御を行うことができ、良好な除菌力を発現する電解水を生成することができる。
【００１３】
制御部が電解水の温度を制御する場合、制御部は、圧力センサの検出値が所定時間内に所定範囲を超えて変動した回数をカウントし、カウント数が設定された上限回数を超えたときに電解水の温度を下げ、カウント数が設定された下限回数未満となったときに電解水の温度を上げてよい。
【００１４】
上記したように、水素の発生量は、電解水の温度にも関連する。そのため、圧力変動のカウント数に基づいて電解水の温度を調整することによっても、電解水のｐＨを所望値に維持することができる。
【００１５】
温度調節手段は、電解水生成装置に供給される被電解水の温度を調整してよい。被電解水に同じ電流値を印加する場合、被電解水の温度が高い程、次亜塩素酸がよく生成される（生成反応が起こり易くなる）。そのため、電解水が生成した後の温度を調整するより、電解水を生成する前（被電解水）の温度を調整した方が、少ない電流値で次亜塩素酸を生成することが可能となり、効率よく次亜塩素酸を生成することができる。
【図面の簡単な説明】
【００１６】
【図１】第１実施例の浴室洗浄装置の概略図を示す。
【図２】第２実施例の浴室洗浄装置の概略図を示す。
【図３】第２実施例の浴室洗浄装置の変形例を示す。
【図４】第３実施例の浴室洗浄装置の概略図を示す。
【図５】第４実施例であり、浴室洗浄装置を含む浴室空調機を示す。
【図６】第５実施例であり、浴室洗浄装置を含む浴室空調機を示す。
【図７】被電解水に印加する電流と電解水の圧力変動の関係を示す。
【図８】電解水の温度と電解水の圧力変動の関係を示す。
【図９】第１制御方法のフローチャートを示す。
【図１０】第２制御方法のフローチャートを示す。
【図１１】第３制御方法のフローチャートを示す。
【発明を実施するための形態】
【００１７】
（第１実施例）
図１を参照し、浴室洗浄装置１の基本構造を説明する。なお、浴室洗浄装置１は、単独で、あるいは、後述する浴室暖房装置とともに浴室空調機の機能の一部として用いられる。浴室洗浄装置１は、電解水生成装置４と、ノズル１０と、電解水供給管６と、圧力センサ８と、制御部１２を備えている。電解水生成装置４には、被電解水導入管２を通じて被電解水が導入される。被電解水は、例えば水道水である。電解水生成装置４では、被電解水に電流が印加される。電解水生成装置４は、被電解水に１〜５アンペアの電流を印加することができる。電解水生成装置４は、被電解水に電流を印加することにより、次亜塩素酸を含む電解水を生成する。
【００１８】
電解水生成装置４で生成された電解水は、ノズル１０から浴室内（図示省略）に噴霧される。電解水生成装置４とノズル１０は電解水供給管６で接続されている。電解水生成装置４で生成された電解水は、電解水供給管６を通じてノズル１０に供給される。電解水供給管６上には圧力センサ８が設けられている。圧力センサ８は、電解水の圧力（水圧）を膜（ダイヤフラム）を介して検出する。圧力センサ８で検出された圧力は、制御部１２に入力される。制御部１２は、電解水の圧力（圧力センサ８の検出値）に基づいて、電解水生成装置４の出力（被電解水に印加する電流値）を制御する。圧力センサ８は、電解水の圧力（水圧）を検出できるタイプであればよく、膜（ダイヤフラム）式に限定されるものではない。圧力センサ８は、電解水の圧力（水圧）を検出できるタイプであれば、種々のタイプを用いることができる。
【００１９】
上記したように、浴室洗浄装置１では、被電解水に電流を印加して次亜塩素酸を含む電解水を生成する。電解水の生成過程では、水の電気分解により水素が発生する。水の電気分解（水素の発生）は、電解水に印加する電流値が高い程進行する。水素の発生量が少な過ぎると、次亜塩素酸の生成量も少なくなり、電解水の除菌力が低下する。一方、水素の発生量が多過ぎると、電解水中の水素イオンの量が減少し、次亜塩素酸イオンが増大し（電解水のｐＨが上昇し）、電解水の除菌力が低下する。
【００２０】
また、上記したように、浴室洗浄装置１では、圧力センサ８を用いて電解水の圧力を検出する。電解水の圧力は、電解水に含まれる水素（水素ガスの気泡）が増える程大きく変動（水圧が低下）する。浴室洗浄装置１は、圧力センサ８と制御部１２を用いて被電解水に印加する電流値を制御し、電解水中の水素量を制御する。具体的には、被電解水に印加する電流値は、電解水中の水素量に応じて、１−５アンペアの間で調整する。浴室洗浄装置１は、電解水中の水素量を所定範囲内に制御することによって、電解水中の次亜塩素酸が減少することを抑制し、良好な除菌力を有する電解水を浴室内に供給する。
【００２１】
（第２実施例）
図２を参照し、浴室洗浄装置３の基本構造を説明する。浴室洗浄装置３は、浴室洗浄装置１の変形例であり、浴室洗浄装置１と同じ構成については浴室洗浄装置１と同じ参照番号を付すことにより説明を省略することがある。浴室洗浄装置３は、電解水生成装置４、ノズル１０、電解水供給管６、圧力センサ８、制御部１２に加え、温度調節手段２０及び温度センサ２２を備えている。温度調節手段２０は、被電解水導入管２上（電解水生成装置４よりも上流）に設けられている。温度センサ２２は、電解水供給管６上（電解水生成装置４よりも下流）に設けられている。なお、温度調節手段２０として、特に限定されないが、バーナ等の加熱機、液液熱交換器等の熱交換器を用いることができる。
【００２２】
温度調節手段２０は、電解水生成装置４に供給される被電解水の温度を調整する。具体的には、温度調節手段２０は、被電解水の温度を上昇させる。浴室洗浄装置３は、被電解水の温度を調整することにより、結果として電解水の温度を調整する。温度調節手段２０は、被電解水（電解水）の温度を４０−８０度に調節する。浴室洗浄装置３では、圧力センサ８の検出値及び温度センサ２２の検出値（電解水の温度）が制御部１２に入力される。制御部１２は、圧力センサ８の検出値に基づいて温度調節手段２０を制御し、電解水の温度（温度センサ２２の値）を調整する。浴室洗浄装置３では、被電解水に印加する電流値を変化させない。すなわち、浴室洗浄装置３では、圧力センサ８の検出値が変動しても、電解水生成装置４の出力を変化させない。
【００２３】
電解水中の水素量は、電解水の温度に影響され、温度が高くなる程電解水中の水素量が増加する。浴室洗浄装置３は、温度センサ２２と温度調節手段２０を用いて電解水の温度を制御し、電解水中の水素量を所定範囲内に制御することによって、良好な除菌力を有する電解水を浴室内に供給する。浴室洗浄装置３は、温度調節手段２０を電解水生成装置４よりも上流に設けることにより、温度調整された（加熱された）被電解水が電解水生成装置４に送られる。上記したように、次亜塩素酸は、被電解水の温度が高い程生成され易い。浴室洗浄装置３は、温度調節手段２０を電解水生成装置４よりも上流に設けることにより、少ない電流値で次亜塩素酸を生成することが可能となり、効率よく次亜塩素酸を生成することができる。なお、温度センサ２２は、温度調節手段２０の下流に設けられていればよく、被電解水導入管２上に設けてもよい。また、図３に示す浴室洗浄装置３ａのように、温度調節手段２０を電解水生成装置４の下流（電解水供給管６上）に配置し、次亜塩素酸を含む電解水の温度を直接制御してもよい。
【００２４】
（第３実施例）
図４を参照し、浴室洗浄装置５の基本構造を説明する。浴室洗浄装置５を構成している部品は、浴室洗浄装置３と同一である。そのため、浴室洗浄装置５について、各構成部品の説明は省略する。浴室洗浄装置５では、圧力センサ８の検出値及び温度センサ２２の検出値が制御部１２に入力される。制御部１２は、圧力センサ８の検出値に基づいて、電解水生成装置４の出力電流を制御するとともに、温度調節手段２０を制御して電解水の温度を調整する。浴室洗浄装置５は、被電解水に印加する電流値及び電解水の温度を制御することによって電解水中の水素量を所定範囲内に制御し、良好な除菌力を有する電解水を生成する。
【００２５】
浴室洗浄装置５では、制御部１２は、電解水生成装置４の出力電流の制御を行う制御部と、電解水の温度の制御を行う制御部を兼ねている。なお、一般的に、電解水は、高温である程除菌力が高い。そのため、浴室洗浄装置５は、先ずは電解水の温度を４０度以上、好ましくは６０度以上に維持した状態で電流値を調整して電解水の圧力を調節し、電流値を調整するだけでは電解水の圧力を調整することができない場合（例えば、電流値が上限電流値または下限電流値の場合）に電解水の温度を調節する。
【００２６】
（第４実施例）
図５を参照し、浴室空調機１００について説明する。図５は、浴室空調機１００の配管図を示している。浴室空調機１００は、浴室暖房装置１１０と浴室洗浄装置１２０を備えている。浴室空調機１００は浴室内の空調を行う機器である。例えば、浴室空調機１００は、浴室暖房装置１１０を用いて、浴室内の暖房や乾燥を行う。また、浴室空調機１００は、浴室洗浄装置１２０を用いて、浴室内の除菌を行う。なお、浴室洗浄装置１２０は、上記した浴室洗浄装置１，３，３ａ及び５の構成を含んでいる。
【００２７】
浴室暖房装置１１０は、気液熱交換器３４と、入水管３０と、出水管５２を備えている。気液熱交換器３４は、入水管３０と出水管５２の間に接続されている。入水管３０には、ガス熱源機等（図示省略）の外部機器で加熱された水（温水）が導入される。出水管５２は、液液熱交換器２０ａを通過している。液液熱交換器２０ａは、温度調節手段の一例である。熱交換器３４，２０ａで放熱した水は、出水管５２からガス熱源機等に戻される。
【００２８】
気液熱交換器３４は、例えば、温水コイルである。気液熱交換器３４は、加熱された水と空気の熱交換によって空気を加熱する。気液熱交換器３４は、ガス熱源機等によって加熱されて気液熱交換器３４に送られた水の熱によって、浴室内に送る空気を加熱する。加熱された空気は、送風ファン（図示省略）によって浴室内に送風される。気液熱交換器３４によって、空気と水の熱交換が行われる。
【００２９】
また、浴室暖房装置１１０は、湯温サーミスタ３１と、室温サーミスタ３２と、流量制御弁５０を備えている。湯温サーミスタ３１は、入水管３０に設けられている。湯温サーミスタ３１は、入水管３０を流れる水の温度を検出する。湯温サーミスタ３１は、気液熱交換器３４で熱交換される前の水の温度を検出する。室温サーミスタ３２は、気液熱交換器３４に隣接して配置されている。室温サーミスタ３２は、浴室内の温度を検出する。流量制御弁５０は、液液熱交換器２０ａの下流で出水管５２に設けられている。流量制御弁５０は、入水管３０及び出水管５２を流れる水の流量を制御する。流量制御弁５０の開度を調整することによって、入水管３０及び出水管５２を流れる水の流量を調整することができる。なお、流量制御弁５０は、入水管３０及び出水管５２上であれば、取付け位置は任意である。
【００３０】
浴室洗浄装置１２０は、電解水生成装置４と、電解水供給管６と、圧力センサ８と、ノズル１０と、温度センサ２２を備えている。電解水生成装置４には、被電解水導入管２が接続されている。被電解水導入管２は、液液熱交換器２０ａを通過している。液液熱交換器２０ａは、被電解水導入管２に導入された水を加熱する。液液熱交換器２０ａは、例えば、プレート式の熱交換器である。液液熱交換器２０ａは、高温の液体と低温の液体の熱交換によって低温の液体を加熱する。具体的には、液液熱交換器２０ａは、出水管５２を流れる水の熱によって被電解水導入管２を流れる被電解水（水道水）を加熱する。
【００３１】
被電解水導入管２上には、水フィルタ４８と、逆止弁４６と、給水電磁弁４２と、過圧逃がし弁４４が設けられている。水フィルタ４８は、被電解水（水道水）中の異物を除去するとともに、被電解水導入管２内の水抜栓として機能する。逆止弁４６は、被電解水導入管２を流れる被電解水の逆流を防止する。給水電磁弁４２は、被電解水導入管２の流路を開閉する。給水電磁弁４２が開状態になると、被電解水導入管２を被電解水が流れ、液液熱交換器２０ａに被電解水が送られる。給水電磁弁４２が閉状態になると、液液熱交換器２０ａ内の被電解水の流れが止まる。
【００３２】
なお、被電解水導入管２上には、バイパス管４３が接続されている。バイパス管４３は、給水電磁弁４２の上下流に接続されている。過圧逃がし弁４４は、バイパス管４３上に設けられている。過圧逃がし弁４４は、逆止弁４６と給水電磁弁４２の間の圧力が過剰に高くなると開状態になる。過圧逃がし弁４４が開状態になると、被電解水は、給水電磁弁４２を迂回して、給水電磁弁４２の上流から下流に移動する。過圧逃がし弁４４が開状態になることにより、逆止弁４６と給水電磁弁４２の間の圧力を低下させる。
【００３３】
被電解水導入管２を流れる被電解水は、液液熱交換器２０ａを通過する。また、気液熱交換器３４を通過した水が液液熱交換器２０ａを通過する。被電解水は、気液熱交換器３４を通過した水によって加熱され、電解水生成装置４に供給される。電解水生成装置４では、被電解水に電流を印加し、次亜塩素酸を含む電解水が生成される。電解水は、電解水供給管６を通じてノズル１０に送られる。
【００３４】
なお、浴室空調機１００では、液液熱交換器２０ａは、気液熱交換器３４に直列接続されている。そのため、入水管３０から気液熱交換器３４に送られた全ての水が、出水管５２によって液液熱交換器２０ａに送られる。浴室空調機１００では、気液熱交換器３４で放熱した水の熱を利用して、電解水生成装置４に送る水を加熱する。
【００３５】
電解水供給管６上には、温度センサ２２、圧力センサ８、ミスト電磁弁３８、過圧逃がし弁４０が設けられている。温度センサ２２は、電解水供給管６を通過する電解水の温度を検出する。圧力センサ８は、電解水供給管６を通過する電解水の圧力を検出する。ミスト電磁弁３８は、電解水供給管６を開閉する。ミスト電磁弁３８が開状態になると電解水生成装置４からノズル１０に電解水が供給され、浴室内に電解水が噴霧される。ミスト電磁弁３８が閉状態になると、浴室内への電解水の供給が停止する。
【００３６】
また、電解水供給管６には、放水路４５が接続されている。放水路４５の一端は過圧逃がし弁４０の上流に接続されており、他端は開放されている。過圧逃がし弁４０は、放水路４５を開閉する。過圧逃がし弁４０が開状態になると、放水路４５から電解水が放出される。過圧逃がし弁４０は、電解水生成装置４とミスト電磁弁３８の間の水圧が過剰に高くなると開状態になる。過圧逃がし弁４０が開状態になると電解水供給管６内の水圧が下がる。
【００３７】
ノズル１０は、電解水供給管６によって送られた電解水をミスト状にし、浴室内に噴霧する。なお、上記したセンサ、電磁弁等の動作は、制御部１２によって制御される。また、温度センサ２２及び圧力センサ８の検出値は、制御部１２に入力される。
【００３８】
次に、浴室空調機１００の動作について簡単に説明する。浴室空調機１００が動作するときは、外部のガス熱源機等によって加熱された水（温水）が、入水管３０に導入される。入水管３０に導入された温水は、気液熱交換器３４に送られる。このときに、入水管３０に設けられている湯温サーミスタ３１が、入水管３０を流れる温水の温度を検出する。気液熱交換器３４は、浴室に送るための空気を加熱する。気液熱交換器３４は、温水と空気の熱交換によって空気を加熱する。浴室に送る空気の温度は、室温サーミスタ３２によって検出される。制御部１２は、室温サーミスタ３２の検出値に基づいて、浴室に供給する空気の温度を制御する。
【００３９】
気液熱交換器３４で熱交換された温水は、出水管５２に送られ、液液熱交換器２０ａを通過して、ガス熱源機に戻される。液液熱交換器２０ａでは、出水管５２を流れる温水と被電解水導入管２を流れる被電解水（水道水）の熱交換が行われる。
【００４０】
浴室空調機１００では、被電解水導入管２を流れる被電解水は、液液熱交換器（温度調節手段）２０ａを通過してノズル１０に流入する。液液熱交換器２０ａは、出水管５２を流れる温水と被電解水導入管２を流れる水の熱交換によって、被電解水導入管２を流れる水を加熱する。液液熱交換器２０ａによって加熱された水は、電解水生成装置４に送られる。電解水生成装置４では、必要に応じて被電解水に電流を流し、次亜塩素酸を含む電解水を生成する。生成された電解水は、電解水供給管６を通じてノズル１０に供給される。ノズル１０は、液液熱交換器２０ａから供給された電解水を、ミスト状にして浴室内に噴霧する。ノズル１０に送られる電解水の温度及び圧力は、圧力センサ８、温度センサ２２によって検出される。浴室空調機１００では、圧力センサ８，温度センサ２２の検出値に基づいて、電解水生成装置４，液液熱交換器２０ａを制御し、電解水中の次亜塩素酸の量を調整する。次亜塩素酸の量の調整方法については後述する。なお、制御部１２は、電解水生成装置４の出力電流の制御を行う制御部と、電解水の温度の制御を行う制御部を兼ねている。また、浴室空調機１００は、浴室洗浄装置１２０（電解水生成装置４）のエラーを報知する報知部（図示省略）を備えており、電解水が正常に生成されていない（次亜塩素酸が生成されていない）場合、報知部を通じて使用者にエラーを報知する。
【００４１】
なお、浴室内を除菌しない場合、電解水生成装置４で被電解水に電流を流さない。この場合、電解水を含まない（次亜塩素酸を含まない）ミストが浴室内に噴霧される。
【００４２】
（第５実施例）
図６を参照し、浴室空調機１００ａについて説明する。図６は、浴室空調機１００ａの配管図を示している。浴室空調機１００ａは、浴室空調機１００の変形例である（図５を参照）。浴室空調機１００ａについて、浴室空調機１００と共通する構成については、浴室空調機１００と同じ参照番号を付すことにより説明を省略することがある。
【００４３】
浴室空調機１００ａは、バイパス管６０を備えている。バイパス管６０の一端は入水管３０に接続され、他端は出水管５２に接続されている。すなわち、バイパス管６０は、気液熱交換器３４と並列に接続されている。また、バイパス管６０は、液液熱交換器２０ａを通過している。なお、浴室空調機１００ａでは、出水管５２は液液熱交換器２０ａを通過していない。
【００４４】
入水管３０上に、流量制御弁６４が設けられている。流量制御弁６４は、バイパス管６０が接続されている位置よりも下流で、入水管３０に接続されている。流量制御弁６４は、気液熱交換器３４を流れる水の量を調整する。流量制御弁６４を閉状態にすると、入水管３０内の水は気液熱交換器３４を流れず、全て液液熱交換器２０ａを流れる。
【００４５】
また、バイパス管６０上に、流量制御弁６２が設けられている。流量制御弁６２は、液液熱交換器２０ａより下流でバイパス管６０に接続されている。流量制御弁６２は、バイパス管６０を流れる水の量を調整する。流量制御弁６２を閉状態にすると、入水管３０内の水は液液熱交換器２０ａを流れず、全て気液熱交換器３４を流れる。なお、浴室空調機１００ａも、浴室洗浄装置１２０のエラー（電解水生成装置４，圧力センサ８，温度センサ２２等のエラー）を報知する報知部（図示省略）を備えている。
【００４６】
浴室空調機１００ａでは、浴室に温風と電解水を供給する場合、流量制御弁６４を開状態にするとともに流量制御弁６２も開状態とする。浴室に温風を供給せずに電解水を供給する場合、流量制御弁６４を閉状態にするとともに流量制御弁６２を開状態とする。また、浴室に温風を供給して電解水を供給しない場合、流量制御弁６４を開状態にするとともに流量制御弁６２を閉状態とする。浴室に温風及び電解水のどちらも供給しない場合、流量制御弁６４及び流量制御弁６２を閉状態とする。浴室空調機１００ａは、外部のガス熱源機等からの水（入水管３０に導入される温水）を気液熱交換器３４に供給せずに液液熱交換器２０ａに供給することができる点が、浴室空調機１００と異なる。浴室空調機１００ａの動作については、説明を省略する。
【００４７】
ここで、図７及び図８を参照し、被電解水に印加する電流値、電解水の温度、電解水の圧力について説明する。図７は、低温の被電解水を用いて電解水を生成したときの電解水の圧力変化を示している。横軸は時間を示し、縦軸は圧力を示している。曲線７０は被電解水に低電流を印加したときの圧力センサ８の検出値を示し、曲線７２は被電解水に高電流を印加したときの圧力センサ８の検出値を示している。圧力Ｐ０は、被電解水に電流を印加していない（電解水を生成していない）ときの圧力センサ８の検出値を示している。図８は、図７よりも高温の被電解水を用い、他の条件は図７と同じ条件で電解水を生成したときの圧力センサ８の検出値を示している。なお、圧力Ｐ１は、圧力変動の有無を判定する閾値であり、圧力Ｐ１を超えた（下回った）回数をカウントすることにより、電解水の圧力変動の程度を判定する。
【００４８】
図７及び図８に示すように、被電解水に印加する電流値が大きくなると、圧力変化（圧力低下）の頻度、及び、圧力変化の割合（変化量）が大きくなる。すなわち、曲線７０，７２に示すように、被電解水に印加する電流値が大きくなると、圧力Ｐ１を超える回数が増える。また、電解水の温度が高くなると、圧力変化の割合が大きくなる。結果として、電解水の温度が高くなると、圧力Ｐ１を超える回数が増える。このように、被電解水に印加する電流値を高くする程、また、電解水の温度を高くする程、圧力Ｐ１を超える回数が増える。この圧力Ｐ１を超えて変動する回数をカウントすると、電解水に含まれる水素量の比率を計測することができる。上記した浴室洗浄装置１２０は、圧力センサ８の検出値が所定時間内に圧力Ｐ１を超えて変動する回数をカウントし、電解水内に含まれる水素量を適値に調整することにより、電解水のｐＨを調整し、高い除菌力を発現する電解水を生成する。なお、圧力Ｐ１を超えて変動する圧力の回数をカウントすることにより、圧力センサ８の機器的な検出値のばらつきの影響を抑制することができる。以下、電解水を生成する際の浴室洗浄装置１２０の動作（電解水に含まれる水素量の制御方法）について説明する。
【００４９】
（第１制御方法）
図９を参照し、第１生成方法について説明する。第１生成方法では、圧力センサ８の検出値に基づいて、被電解水に印加する電流値、及び、電解水の温度の双方を調整する。まず、電解水を生成中（電解水を含むミストを浴室に噴霧中）か否かを判断する（ステップＳ２）。浴室洗浄装置１２０が浴室にミストを噴霧中でない場合、あるいは、浴室洗浄装置１２０が電解水を含まないミストを浴室に噴霧中の（すなわち、浴室を除菌中でない）場合、処理を終了する（ステップＳ２：ＮＯ）。
【００５０】
電解水を生成中の場合（ステップＳ２：ＹＥＳ）、圧力センサ８の検出値が所定時間内に圧力Ｐ１を超えて変動した回数Ｎをカウントし（カウント数Ｎを検出し）、カウント数Ｎが上限回数Ｎ１を超えているか否かを判断する（ステップＳ４）。なお、上限回数Ｎ１は、制御部１２内のメモリに記憶されており、水素発生量（電解水の圧力）と電解水に含まれる次亜塩素酸の量との関係より、適切な除菌力を発現する電解水を得るための上限水素量より決定された値である。
【００５１】
カウント数Ｎが上限回数Ｎ１を超えている場合（ステップＳ４：ＹＥＳ）、被電解水に印加している電流値を読み込み、その電流値が下限電流値か否かを判定する（ステップＳ６）。なお、下限電流値は、次亜塩素酸を安定して生成するために必要な最小電流値であり、制御部１２に記憶されている。被電解水に印加している電流値が下限電流値ではない場合（ステップＳ６：ＮＯ）、被電解水に印加する電流値を下げる（ステップＳ８）。図７に示したように、被電解水に印加する電流値を下げると、水素の発生量が減少し、電解水のｐＨが低下し、電解水中の次亜塩素酸の量が増大する。その後、ステップＳ４に戻り、カウント数Ｎと上限回数Ｎ１の比較を繰り返す。
【００５２】
電流が下限電流値の場合（ステップＳ６：ＹＥＳ）、さらに電流値を下げると、次亜塩素酸を安定して生成することができない。そのため、電流が下限電流値の場合、被電解水の温度を低下させる（ステップＳ１０）。具体的には、液液熱交換器２０ａにおいて出水管５２を流れる温水と被電解水導入管２を流れる水の熱交換率を低下させる。図８に示したように、電解水の温度を低下させても、水素の発生量が減少し、電解水中の次亜塩素酸の量が増大する。その後、ステップＳ４に戻り、カウント数Ｎと上限回数Ｎ１の比較を繰り返す。
【００５３】
カウント数Ｎが上限回数Ｎ１を超えていない場合（ステップＳ４：ＮＯ）、ステップＳ１２に進み、カウント数Ｎが下限回数Ｎ２より少ないか否かを判定する（ステップＳ１２）。カウント数Ｎが下限回数Ｎ２を下回っていない場合（ステップＳ１２：ＮＯ）、電解水に含まれる水素の量は適切な範囲であり、電解水の生成条件を変更することなく調整処理を終了する。なお、下限回数Ｎ２は、制御部１２内のメモリに記憶されており、水素発生量（電解水の圧力）と電解水に含まれる次亜塩素酸の量との関係より、適切な除菌力を発現する電解水を得るための下限水素量より決定された値である。
【００５４】
カウント数Ｎが下限回数Ｎ２より小さい場合（ステップＳ１２：ＹＥＳ）、被電解水に印加している電流を読み込み、その電流が上限電流値か否かを判定する（ステップＳ１４）。上限電流値は、安全に次亜塩素酸を生成するために設定された電流値であり、制御部１２に記憶されている。電流値が上限電流値ではない場合（ステップＳ１４：ＮＯ）、被電解水に印加する電流値を上げる（ステップＳ１６）。被電解水に印加する電流値を上げることにより、電解水中の次亜塩素酸の量が増大する。その後、ステップＳ４に戻り、カウント数Ｎと上限回数Ｎ１の比較を繰り返す。
【００５５】
電流値が上限電流値の場合（ステップＳ１４：ＹＥＳ）、さらに電流値を上げると、安全に次亜塩素酸を生成することができなくなることがある。そのため、電流値が上限電流値の場合（ステップＳ１４：ＹＥＳ）、ステップＳ１５に進み、電解水の温度が上限温度に達しているか否かを判定する。ステップＳ１５では、温度センサ２２の検出値と制御部１２に記憶されている電解水の上限温度（例えば８０度）を比較する。電解水の温度が上限温度に達してない場合（ステップＳ１５：ＮＯ）、液液熱交換器２０ａにおいて出水管５２を流れる温水から被電解水導入管２を流れる水へ供給される熱量を増大させ、被電解水の温度を上昇させる（ステップＳ１７）。電解水の温度を上昇させることにより、電解水中の次亜塩素酸の量が増大する。その後、ステップＳ４に戻り、カウント数Ｎと上限回数Ｎ１の比較を繰り返す。
【００５６】
電解水の温度が上限温度に達している場合（ステップＳ１５：ＹＥＳ）、これ以上電流値を上げることも、電解水（被電解水）の温度を上げることもできない。すなわち、ステップＳ１５で電解水の温度が上限温度に達していると判断された場合、電流値及び温度が最大であるにも係らず、電解水が生成されていない。この場合、電解水の生成（電解水生成装置４の作動）を停止し、使用者にエラーを報知し（ステップＳ１９）、処理を終了する。
【００５７】
（第２制御方法）
図１０を参照し、第２制御方法について説明する。第２制御方法では、圧力センサ８の検出値に基づいて、電解水の温度は調整せずに、被電解水に印加する電流値のみを調整する。すなわち、液液熱交換器２０ａにおいて出水管５２を流れる温水から被電解水導入管２を流れる水へ供給される熱量は変化させない。第２制御方法は、第１制御方法と比較して、シンプルな制御を行うことができる。また、第２制御方法は、ノズル１０から浴室内に供給されるミストの温度が変動することを抑制することができる。以下の説明において、第１制御方法と同一の処理については、説明を簡略化することがある。
【００５８】
まず、電解水を生成中（電解水を含むミストを浴室に噴霧中）か否かを判断する（ステップＳ２０）。浴室にミストを噴霧中でない場合、あるいは、電解水を含まないミストを浴室に噴霧中の場合、処理を終了する（ステップＳ２０：ＮＯ）。
【００５９】
電解水を生成中の場合（ステップＳ２０：ＹＥＳ）、圧力センサ８の検出値が所定時間内に圧力Ｐ１を超えて変動した回数Ｎをカウントし、カウント数Ｎが上限回数Ｎ１を超えているか否かを判断する（ステップＳ２２）。カウント数Ｎが上限回数Ｎ１を超えている場合（ステップＳ２２：ＹＥＳ）、被電解水に印加する電流値を下げる（ステップＳ２４）。その後、ステップＳ２２に戻り、カウント数Ｎと上限回数Ｎ１の比較を繰り返す。
【００６０】
カウント数Ｎが上限回数Ｎ１を超えていない場合（ステップＳ２２：ＮＯ）、カウント数Ｎが下限回数Ｎ２より少ないか否かを判定する（ステップＳ２６）。カウント数Ｎが下限回数Ｎ２を下回っていない場合（ステップＳ２６：ＮＯ）、調整処理を終了する。
【００６１】
カウント数Ｎが下限回数Ｎ２より少ない場合（ステップＳ２６：ＹＥＳ）、ステップＳ２７に進み、被電解水に印加されている電流値が上限電流値に達しているか否かを判定する。ステップＳ２７では、被電解水に印加している電流値と制御部１２に記憶されている上限電流値（例えば５アンペア）を比較する。被電解水に印加している電流値が上限電流値に達してない場合（ステップＳ２７：ＮＯ）、被電解水に印加する電流値を上げる（ステップＳ２８）。その後、ステップＳ２２に戻り、カウント数Ｎが適切な範囲（ステップＳ２２：ＮＯ，ステップＳ２６：ＮＯ）になるまで電流値の調整を繰り返す。被電解水に印加されている電流値が上限電流値に達している場合（ステップＳ２７：ＹＥＳ）、電解水の生成（電解水生成装置４の作動）を停止し、使用者にエラーを報知し（ステップＳ２９）、処理を終了する。
【００６２】
（第３制御方法）
図１１を参照し、第３制御方法について説明する。第３制御方法では、圧力センサ８の検出値に基づいて、被電解水に印加する電流値は調整せずに、電解水の温度のみを調整する。第３制御方法は、第１制御方法と比較して、シンプルな制御を行うことができる。また、第３制御方法は、電解水生成装置４の構造を簡単にすることができる。すなわち、被電解水に印加する電流値を変化させる回路を省略することができる。以下の説明において、第１制御方法と同一の処理については、説明を簡略化することがある。
【００６３】
まず、電解水を生成中（電解水を含むミストを浴室に噴霧中）か否かを判断する（ステップＳ３０）。浴室にミストを噴霧中でない場合、あるいは、電解水を含まないミストを浴室に噴霧中の場合、処理を終了する（ステップＳ３０：ＮＯ）。
【００６４】
電解水を生成中の場合（ステップＳ３０：ＹＥＳ）、圧力センサ８の検出値が所定時間内に圧力Ｐ１を超えて変動した回数Ｎをカウントし、カウント数Ｎが上限回数Ｎ１を超えているか否かを判断する（ステップＳ３２）。カウント数Ｎが上限回数Ｎ１を超えている場合（ステップＳ３２：ＹＥＳ）、液液熱交換器２０ａにおいて出水管５２を流れる温水から被電解水導入管２を流れる水へ供給される熱量を下げ、電解水の温度を低下させる（ステップＳ３４）。その後、ステップＳ３２に戻り、カウント数Ｎと上限回数Ｎ１の比較を繰り返す。
【００６５】
カウント数Ｎが上限回数Ｎ１を超えていない場合（ステップＳ３２：ＮＯ）、カウント数Ｎが下限回数Ｎ２より少ないか否かを判定する（ステップＳ３６）。カウント数Ｎが下限回数Ｎ２を下回っていない場合（ステップＳ３６：ＮＯ）、調整処理を終了する。
【００６６】
カウント数Ｎが下限回数Ｎ２より少ない場合（ステップＳ３６：ＹＥＳ）、ステップＳ３７に進み、電解水の温度が上限温度に達しているか否かを判定する。電解水の温度が上限温度に達してない場合（ステップＳ３７：ＮＯ）、液液熱交換器２０ａにおいて出水管５２を流れる温水から被電解水導入管２を流れる水へ供給される熱量を上げ、電解水の温度を上げる（ステップＳ３８）。その後、ステップＳ３２に戻り、カウント数Ｎが適切な範囲（ステップＳ３２：ＮＯ，ステップＳ３６：ＮＯ）になるまで電解水の温度調節を繰り返す。電解水の温度が上限温度に達している場合（ステップＳ３７：ＹＥＳ）、電解水の生成（電解水生成装置４の作動）を停止し、使用者にエラーを報知し（ステップＳ３９）、処理を終了する。
【００６７】
上記第４及び第５実施例では、液液熱交換器２０ａが電解水生成装置４より上流に設けられている例について説明した。しかしながら、液液熱交換器２０ａは、電解水生成装置４より下流に設けてもよい。すなわち、電解水生成装置４で次亜塩素酸を含む電解水を生成した後、その電解水の温度を上昇させてもよい。
【００６８】
また、上記第４及び第５実施例では、圧力センサ８の検出値が所定時間内に所定範囲を超えて変動した回数をカウントし、その回数に基づいて、被電解水に印加する電流値、及び／又は、電解水の温度を調整する例について説明した。すなわち、電解水の圧力が大きく変動する頻度に基づいて被電解水に印加する電流値、及び／又は、電解水の温度を調整した。しかしながら、電解水の圧力変動以外の条件、例えば、所定時間内における電解水の圧力（圧力センサの検出値）を積算し、その積算値に基づいて被電解水に印加する電流値、及び／又は、電解水の温度を調整してもよい。
【００６９】
以上、本明細書に開示の技術の具体例を詳細に説明したが、これらは例示にすぎず、特許請求の範囲を限定するものではない。特許請求の範囲に記載の技術には、以上に例示した具体例を様々に変形、変更したものが含まれる。また、本明細書または図面に説明した技術要素は、単独であるいは各種の組合せによって技術的有用性を発揮するものであり、出願時請求項記載の組合せに限定されるものではない。
【符号の説明】
【００７０】
１：浴室洗浄装置
３：浴室洗浄装置
３ａ：浴室洗浄装置
４：電解水生成装置
５：浴室洗浄装置
６：電解水供給管
８：圧力センサ
１０：ノズル
１２：制御部
２０：温度調節手段
２０ａ：液液熱交換器（温度調節手段）
２２：温度センサ
１００：浴室空調機
１２０：浴室洗浄装置
【図１】
2019076502.tif 000003
【図２】
2019076502.tif 000004
【図３】
2019076502.tif 000005
【図４】
2019076502.tif 000006
【図５】
2019076502.tif 000007
【図６】
2019076502.tif 000008
【図７】
2019076502.tif 000009
【図８】
2019076502.tif 000010
【図９】
2019076502.tif 000011
【図１０】
2019076502.tif 000012
【図１１】
2019076502.tif 000013